(57)【要約】【課題】  収容機器に収容された複数の基板のうち取り外しが許可されている基板のみを確実に取り外すことが可能な基板取り外しシステムを提供する。【解決手段】  第１のイジェクタ２０２および第２のイジェクタ２０３を解除操作することで収容機器１００から取り外し可能になる基板２００を、誤って収容機器１００から取り外すことを防止するための基板取り外しシステム１であって、取り外しが許可されている基板２００を記憶する取外許可基板データベース４１ａと、第１のイジェクタ２０２の解除操作を検出する解除操作検出部２１と、解除操作検出部２１で解除操作が検出された基板２００と、取外許可基板データベース４１ａに記憶されている基板２００とが一致するか否かを判定する判定タスク４２と、を備える。【選択図】  図１
2013021174.tif 000002
【特許請求の範囲】
【請求項１】
イジェクタを解除操作することで収容機器から取り外し可能になる基板を、誤って前記収容機器から取り外すことを防止するための基板取り外しシステムであって、
取り外しが許可されている基板を記憶する記憶手段と、
前記イジェクタの解除操作を検出する解除操作検出手段と、
前記解除操作検出手段で前記解除操作が検出された基板と、前記記憶手段に記憶されている基板とが一致するか否かを判定する判定手段と、
を備えることを特徴とする基板取り外しシステム。
【請求項２】
前記基板の取り外しを規制する規制手段を備え、
前記判定手段によって一致しないと判定された場合に、前記規制手段によって前記基板の取り外しを規制する、
ことを特徴とする請求項１に記載の基板取り外しシステム。
【請求項３】
前記解除操作を行う操作者の識別情報を取得する識別情報取得手段を備え、
前記記憶手段は、前記取り外しが許可されている基板とともに、この基板の取り外しが許可されている操作者の識別情報を記憶し、
前記判定手段は、前記識別情報取得手段で取得された識別情報と、前記記憶手段に記憶されている識別情報とが一致するか否かを判定する、
ことを特徴とする請求項１または２のいずれか１項に記載の基板取り外しシステム。
【発明の詳細な説明】
【技術分野】
【０００１】
この発明は、収容機器に収容された複数の基板のうち取り外しが許可されている基板のみを確実に取り外すことが可能な基板取り外しシステムに関する。
【背景技術】
【０００２】
電子機器などに収容されている基板の取り外し操作は、操作者が操作対象の基板を図面や名称などで確認し、誤って取り外すことがないように注意を払う必要がある。従来は、取り外し操作における人為的ミスを発見するために、監督者によって取り外し操作を監督し、誤りがあった場合は操作者に口頭で注意を行ったりしていた。しかしながら、監督者がいない場合は、操作者が一人で取り外し操作を行うことになり、人為的ミスを発見できないおそれがある。
【０００３】
そこで、人為的ミスが生じないように基板の抜去可否を機械的に判定するものとして、基板の何れかを抜去してよいか判定する基板抜去可能判定手段と、基板抜去禁止と判定した場合は装着された基板が誤って抜去されることを防ぐロック手段と、を備える基板誤抜去防止装置に関する技術が知られている（例えば、特許文献１参照。）。
【０００４】
また、基板を抜こうとした場合にその基板に電源が供給されていたら操作者に警告する誤操作防止機構に関する技術や（例えば、特許文献２参照。）、正規の手順でかつ交換対象の基板のみを電子機器から抜き取ることを可能とする活線挿抜誤操作防止構造が知られている（例えば、特許文献３参照。）。
【先行技術文献】
【特許文献】
【０００５】
【特許文献１】特開２００２−２８０７６９号公報
【特許文献２】実開平０５−０５０９４２号公報
【特許文献３】実開平０５−０８７９９２号公報
【発明の概要】
【発明が解決しようとする課題】
【０００６】
しかしながら、特許文献１および特許文献２に記載された技術は、基板の動作状況や電源の供給状態にもとづいて抜去の可否を判定するものであり、同一の動作状況で操作対象と非操作対象の基板とがある場合は、誤操作を生じるおそれがある。また、特許文献３に記載された技術は、電子機器操作部を介して保守担当者等が基板を指定して、信号を送信するものであるため、人為的ミスが発生するおそれがある。
【０００７】
そこでこの発明は、収容機器に収容された複数の基板のうち取り外しが許可されている基板のみを確実に取り外すことが可能な基板取り外しシステムを提供することを目的としている。
【課題を解決するための手段】
【０００８】
前記の課題を解決するために、請求項１の発明は、イジェクタを解除操作することで収容機器から取り外し可能になる基板を、誤って前記収容機器から取り外すことを防止するための基板取り外しシステムであって、取り外しが許可されている基板を記憶する記憶手段と、前記イジェクタの解除操作を検出する解除操作検出手段と、前記解除操作検出手段で前記解除操作が検出された基板と、前記記憶手段に記憶されている基板とが一致するか否かを判定する判定手段と、を備えることを特徴とする基板取り外しシステムである。
【０００９】
この発明によれば、イジェクタの解除操作が解除操作検出手段によって検出されると、解除操作が検出された基板と、記憶手段に記憶されている取り外しが許可されている基板とが、一致するか否かが判定手段によって判定される。
【００１０】
請求項２に記載の発明は、請求項1に記載の基板取り外しシステムにおいて、前記基板の取り外しを規制する規制手段を備え、前記判定手段によって一致しないと判定された場合に、前記規制手段によって前記基板の取り外しを規制する、ことを特徴とする。
【００１１】
請求項３に記載の発明は、請求項1または２に記載の基板取り外しシステムにおいて、前記解除操作を行う操作者の識別情報を取得する識別情報取得手段を備え、前記記憶手段は、前記取り外しが許可されている基板とともに、この基板の取り外しが許可されている操作者の識別情報を記憶し、前記判定手段は、前記識別情報取得手段で取得された識別情報と、前記記憶手段に記憶されている識別情報とが一致するか否かを判定する、ことを特徴とする。
【発明の効果】
【００１２】
請求項１に記載の発明によれば、イジェクタの解除操作が解除操作検出手段によって検出されると、解除操作が検出された基板と、取り外しが許可されている基板とが一致するか否かが判定されるので、人為的ミスを回避することができる。つまり、収容機器に収容された複数の基板がある場合であっても、取り外しが許可されている基板の解除操作であるかを判定することができるので、誤操作による障害などの発生を未然に防止することができる。
【００１３】
請求項２に記載の発明によれば、判定手段によって一致しないと判定された場合に、規制手段によって基板の取り外しを規制するので、取り外しが許可されている基板以外の基板の取り外しを、簡単な構成で確実に回避することができる。
【００１４】
請求項３に記載の発明によれば、判定手段は、識別情報取得手段で取得された識別情報と、記憶手段に記憶されている取り外しが許可されている操作者の識別情報とが一致するか否かを判定するので、基板の取り外しが許可されている操作者以外の取り外し操作であるか否かを判定することができる。つまり、例えば、同一の収容機器に取り外しが許可された複数の基板があり、各基板の取り外しが許可されている操作者が異なっている場合であっても、操作者が取り外しが許可されていない他の基板を誤って取り外しすることを判定することができる。このため、操作者による基板の誤認による障害などの発生を未然に防止することができる。
【図面の簡単な説明】
【００１５】
【図１】この発明の実施の形態１に係る基板取り外しシステムの概要を示すブロック図である。
【図２】図１の収容機器に複数の基板を収容した状態を示す斜視図である。
【図３】図２の収容機器に収容された基板における第１のイジェクタおよび第２のイジェクタがともに傾倒した状態を示す正面図である。
【図４】図３の基板を収容機器から取り外すために第１のイジェクタを解除した状態を示す正面図である。
【図５】図３の基板を収容機器から取り外すために第１のイジェクタおよび第２のイジェクタがともに解除された状態を示す正面図である。
【図６】図１の基板取り外しシステムの判定タスクによる情報処理を示すフローチャートである。
【図７】図１の基板取り外しシステムの取外許可基板データベースのデータ構成図である。
【発明を実施するための形態】
【００１６】
つぎに、この発明の実施の形態について図面を用いて詳しく説明する。
【００１７】
（実施の形態１）
図１ないし図７は、この発明の実施の形態１を示している。基板取り外しシステム１は、収容機器１００に収容された複数の基板２００のうち取り外しが許可されている基板２００のみを確実に取り外すことが可能な機能を有している。ここで、基板２００とは、プリント回路を形成した電気絶縁性を有する板の表面に、多数の電子部品を固定して配線したプリント基板を意味する。また、基板取り外しシステム１は、図１に示すように、解除操作検出手段としての解除操作検出部２１と、規制手段としての規制部２２とを有する基板側装置２と、識別情報取得手段としての識別情報取得部３１を有する操作者識別装置３とを備えている。さらにまた、基板取り外しシステム１は、収容機器１００から取り外しが許可されている基板２００を記憶する記憶手段４１と、判定手段としての判定タスク４２を有する基板管理サーバ４とを備えている。基板側装置２と操作者識別装置３は、有線または無線から構成される通信網ＮＷを介して基板管理サーバ４と通信可能に接続されている。
【００１８】
ここで、収容機器１００は、図２に示すように、筺体１０１内に、複数の基板２００を脱着可能に収容可能なもので、筺体１０１内の上方および下方に対向して配設された狭持部１０２、１０３によって基板２００を狭持するようになっている。また、筺体１０１内の奥側には、基板２００と電気的に接続するためのコネクタ(図示略)が配設されている。
【００１９】
基板２００は、図３に示すように、平面形状が四角形で、電子部品(図示略)が配線されている基板本体２０１と、前端側の上側角部に配設された第１のイジェクタ２０２と、前端側の下側角部に配設された第２のイジェクタ２０３と、コネクタ部２０４、２０５とを有している。第１のイジェクタ２０２および第２のイジェクタ２０３を解除操作することで、基板２００は収容機器１００から取り外し可能になる。
【００２０】
第１のイジェクタ２０２は、基板２００が収容機器１００に収容された状態では、筺体１０１の手前側に位置している。第１のイジェクタ２０２は、接点部２０２ａと、把持部２０２ｂと、ピン２０２ｃとを有し、基板本体２０１の一端部に配設されたピン２０２ｃを軸として回動自在となっている。把持部２０２ｂは、第１のイジェクタ２０２を回動させる際に把持するためのハンドルである。図３に示すように、接点部２０２ａが基板２００側に傾倒し、基板本体２０１の接点部２０１ａと係合すると、接点部２０２ａと接点部２０１ａとは電気的に接続された状態（接点ＯＮ状態）となる。このとき、第１のイジェクタ２０２は収容機器１００と係合し、基板２００は収容機器１００から取り外しができないようになっている。また、第１のイジェクタ２０２を解除操作し、すなわち、図４に示すように、接点部２０２ａを基板２００から離接する方向に回動して、基板本体２０１の接点部２０１ａと離接（係合解除）すると、接点部２０２ａと接点部２０１ａとは電気的に切り離された状態（接点ＯＦＦ状態）となる。また、第１のイジェクタ２０２による接点のＯＮ、ＯＦＦは、後述する基板側装置２の解除操作検出部２１によって検出されるようになっている。
【００２１】
第２のイジェクタ２０３は、基板２００が収容機器１００に収容された状態では、筺体１０１の手前側に位置している。第２のイジェクタ２０３は、把持部２０３ｂと、ピン２０３ｃと、規制機構(図示略)とを有している。把持部２０３ｂは、第２のイジェクタ２０３を回動させる際に把持するためのハンドルである。規制機構は、第２のイジェクタ２０３の回動の規制（ロック）、解除（ロック解除）を行うものであり、後述する基板側装置２の規制部２３から伝送される制御信号にもとづいて、ロック解除を制御するようになっている。基板２００を収容容器１００に収容した状態においては、第２のイジェクタ２０３は、常時、回動が規制（ロック）され、ロック解除の制御信号を受信した場合にのみ、基板本体２０１の他端部に配設されたピン２０３ｃを軸として回動可能となる。このとき、図５に示すように、第２のイジェクタ２０３を回動すると、第１のイジェクタ２０２および第２のイジェクタ２０３は収容機器１００から離接した状態となり、基板２００は収容機器１００から取り外し可能となる。
【００２２】
コネクタ部２０４、２０５は、プリント回路と収容機器１００とを電気的に接続するためのコネクタであり、基板２００が収容機器１００に収容された状態では、筺体１０１の奥側に位置し、筺体１０１内に配設されたコネクタ（図示略）と係合可能となっている。
【００２３】
このような構成の基板２００は、図２に示すように、第１のイジェクタ２０２および第２のイジェクタ２０３を解除することによって、収容機器１００から取り外し可能となる。
【００２４】
基板側装置２は、基板２００に配設され、図１に示すように、主として解除操作検出部２１と、規制部２２と、表示部２３と、通信部２４と、これらを制御する制御部２５とを備えている。
【００２５】
解除操作検出手段としての解除操作検出部２１は、第１のイジェクタ２０２の解除操作を検出するもので、基板本体２０１の接点部２０１ａと第１のイジェクタ２０２の接点部２０２ａとの接点のＯＮ、ＯＦＦを検出し、通信部２４を介して基板管理サーバ４に当該基板２００の基板識別番号と接点のＯＦＦ情報とを解除情報として送信するものである。
【００２６】
規制手段としての規制部２２は、第２のイジェクタ２０３の回動を規制、解除して、基板２００の取り外しを規制するもので、通信部２４を介して基板管理サーバ４から受信した制御信号にもとづいて、第２のイジェクタ２０３を制御するものである。
【００２７】
表示部２３は、発光ダイオードで構成された表示灯や液晶ディスプレイなどの表示装置から構成されている。例えば、解除操作検出部２１によって第１のイジェクタ２０２の解除操作を検出した場合や、通信部２４を介して基板管理サーバ４から制御信号を受信した場合などに、表示灯が点灯したり、メッセージを表示することで、基板２００の解除操作が行われたか否かや、制御状態などを通知できるようになっている。
【００２８】
通信部２４は、通信装置から構成されており、通信網ＮＷを介して基板管理サーバ４との間での解除情報や制御信号などのデータ通信を行う機能を有している。
【００２９】
制御部２５は、通信部２１、入力部２２、表示部２３をそれぞれ制御する機能を有している。
【００３０】
操作者識別装置３は、収容機器１００の基板２００の挿入口側に配設され、第１のイジェクタ２０２の解除操作を行う操作者の識別情報を取得するものである。操作者識別装置３は、図１に示すように、識別情報取得手段として、個人を識別するための識別情報を生成可能な識別情報取得部３１と、通信部３２とを有している。この実施の形態では、識別情報取得部３１は、カメラで構成され、第１のイジェクタ２０２の解除操作を行う操作者を撮影するようになっている。また、操作者識別装置３は、識別情報取得部３１が撮影した画像（識別情報）を、通信部３２を介して基板管理サーバ４に送信するようになっている。ここで、識別情報は、解除操作が行われた基板２００の基板識別番号と、操作者を特定する操作者識別情報とを有している。
【００３１】
通信部３２は、通信装置から構成されており、通信網ＮＷを介して基板管理サーバ４との間での識別情報のデータ通信を行う機能を有している。
【００３２】
制御部３３は、通信部３２を制御する機能を有している。
【００３３】
基板管理サーバ４は、基板２００や収容機器１００などの管理部門に設置され、主として、取外許可基板記憶手段４１と、判定手段としての判定タスク４２と、表示部４３と、通信部４４、および、これらの制御を行う制御部４５とを備えている。
【００３４】
取外許可基板記憶手段４１は、取り外しが許可されている基板２００とともに、この基板２００の取り外しが許可されている操作者の識別情報などを記憶する取外許可基板データベース４１ａを格納するものである。取外許可基板データベース４１ａには、図６に示すように、取り外しが許可されている基板２００の基板識別番号４１１ごとに、操作者４１２、操作予定日時４１３、操作実施日時４１４、およびその他４１５が記憶されている。操作者４１２には、操作者情報を記憶したメモリアドレスが記憶されている。操作者情報には、操作者識別情報４１２１、操作者氏名４１２２、連絡先４１２３、およびその他４１２４とが記憶されている。操作者識別情報４１２１には、操作者を識別するための顔の特徴情報が記憶されている。顔の特徴情報とは、個人を特定するための顔の特徴点のことであり、例えば、輪郭、目、鼻や口などの顔の部位の大きさ、形状や位置などのことである。このような特徴情報を撮影した画像と比較することによって、同一人物であるか否かを判定することができる。連絡先４１２３には、操作者の電話番号やメールアドレスなどが記憶されている。また、操作予定日時４１３には、取り外し操作を行う予定日時が記憶され、操作実施日時４１４には、取り外し操作の実施日時が記憶されている。さらに、その他４１５には、例えば、複数の基板２００の取り外し操作を実施する場合に、取り外し操作の優先順位などを記憶可能である。この場合は、優先順位が高い基板の取り外しが実施されるまで、つまり、操作実施日時４１４が入力されるまで、優先順位が低い基板の取り外しを実施させないようにする。ここで、取外許可基板データベース４１ａのデータは、基板２００の取り外し操作が予定されるたびに追加され、変更や取り消しがされるたびに更新・削除される。
【００３５】
判定手段としての判定タスク４２は、基板側装置２の解除操作検出部２１で第１のイジェクタ２０２の解除操作が検出された基板２００と、取外許可基板データベース４１ａに記憶されている基板識別番号４１１とが一致し、かつ、操作者識別装置３の識別情報取得部３１で取得された識別情報と、取外許可基板データベース４１ａに記憶されている操作者識別情報４１２１とが一致するか否かを判定する機能を有しているプログラム、タスクである。すなわち、第１のイジェクタ２０２の解除操作が検出された基板２００と解除操作を行った操作者の組み合わせが、取外許可基板データベース４１ａに記憶されているか否かを判定するものである。さらに、この実施の形態では、「取り外し可能」と判定された場合には、第２のイジェクタ２０３をロック解除する制御信号を通信部４４を介して基板側装置２に送信する。また、「取り外し不可」と判断された場合には、第２のイジェクタ２０３には制御信号を送信せず、ロック状態のままとする。この判定タスク４２は、基板側装置２から通信部４４を介して解除情報を受信すると、制御部４５によって起動されるようにプログラミングされている。
【００３６】
表示部４３は、液晶ディスプレイなどの表示装置から構成されており、判定タスク４２による判定結果を表示したりするものである。
【００３７】
通信部４４は、通信網ＮＷを介して基板側装置２および操作者識別装置３と通信するための通信装置であり、基板側装置２から解除情報と、操作者識別装置３から操作者の識別情報とを受信したり、基板側装置２に制御信号を送信したりする機能を有している。
【００３８】
制御部４５は、表示部４３、通信部４４をそれぞれ制御する機能を有している。
【００３９】
そして、コンピュータとしての基板管理サーバ４には、判定タスク４２に判定機能をもたせるプログラムが入力されている。
【００４０】
次に、基板取り外しシステム１の処理手順および作用について説明する。ここでは、収容機器１００には、複数の基板２００が収容され、その中の１つの基板２００を取り外す場合について説明する。
【００４１】
まず、点検作業や交換作業などのために、基板２００の取り外し操作が予定されると、取外許可基板データベース４１ａに、当該基板２００の基板識別番号４１１、操作者４１２、操作予定日時４１３などが入力される。
【００４２】
操作予定日時になると操作者が、収容機器１００から基板２００を取り外すために、第１のイジェクタ２０２を解除操作する。このとき、基板側装置２の解除操作検出部２１によって、第１のイジェクタ２０２の解除操作が検出され、解除情報が基板管理サーバ４に送信される。また、解除操作検出部２１によって解除操作が検出されるとともに、操作者識別装置３の識別情報取得部３１によって、第１のイジェクタ２０２を解除操作した操作者が撮影されて、画像(識別情報)が基板管理サーバ４に送信される。
【００４３】
そして、基板管理サーバ４は、解除情報を受信すると、図７に示すような判定タスク４２を起動する。
【００４４】
まず、ステップＳ１において、解除情報の基板２００と、取外許可基板データベース４１ａに記憶されている基板とが一致し、かつ、画像(識別情報)と、取外許可基板データベース４１ａに記憶されている操作者とが一致するか否かを判定する。すなわち、解除情報の基板識別番号と、基板識別番号４１１とが一致し、かつ、画像(識別情報)の操作者識別情報と、操作者識別情報４１２１とが一致するか否かを判定する。ここで、画像(識別情報)が受信されていない場合は、操作者を判定することができないため、エラー情報として画像(識別情報)が未受信である旨を出力し処理を終了する。基板と操作者とが一致するデータがある場合にのみ、「取り外し可能」と判定され、基板は一致するが操作者が異なる場合や、判定タスク４２の起動日時（現在のシステム日付）と操作予定日時４１３とが異なっている場合などは、「取り外し不可」と判定される。例えば、操作者が取り外しが許可されていない基板２００Ａの第１のイジェクタ２０２を解除操作した場合は、解除情報に含まれる基板２００Ａの基板識別番号と、取外許可基板データベース４１ａに記憶されているの基板識別番号４１１とは一致しない、すなわち、取外許可基板データベース４１ａには該当する基板識別番号が存在しないため、「取り外し不可」と判定される。
【００４５】
そして、「取り外し不可」と判定された場合(「ＮＯ」の場合)は、ステップＳ２に進み、取り外し不許可処理を行って、判定タスク４２の処理を終了する。取り外し不許可処理とは、解除情報に含まれる基板２００Ａの第２のイジェクタ２０３をロック解除せずに、そのままロック状態を継続する。また、基板２００Ａの基板側装置２の表示部２３に、例えば、「取り外しが許可されていない基板です。イジェクタを元に戻してください。」とのメッセージを表示させるとともに、管理者に対して、エラー情報をメールで送信する。
【００４６】
「取り外し可能」と判定された場合(「ＹＥＳ」の場合)は、ステップＳ３に進み、取り外し許可処理を行って、判定タスク４２の処理を終了する。取り外し許可処理とは、解除情報に含まれる基板２００の第２のイジェクタ２０３をロック解除するための制御信号(ロック解除信号)を、基板側装置２に送信する。基板側装置２は、制御信号を受信すると、規制部２２によって基板２００の第２のイジェクタ２０３のロック解除を行う。また、基板２００Ａの基板側装置２の表示部２３に、例えば、ランプを緑色に替えるなどして取り外しが許可された旨を表示するとともに、管理者に対して、取り外し操作を許可した旨をメールで送信する。
【００４７】
その後、操作者は表示部２３によって「取り外し可能」と判定されたことを確認すると、図４に示すように、基板２００の第２のイジェクタ２０３のロックを解除し、図２に示すように、収納容器１００から基板２００を取り外す。また、収納容器１００から基板２００が取り外されると、取外許可基板データベース４１ａの操作実施日時４１４が入力される。
【００４８】
また、操作者は基板２００Ａの第１のイジェクタ２０２を解除操作し、表示部２３によって「取り外し不可」と判定されたことを確認すると、誤って解除操作した基板２００Ａの第１のイジェクタ２０２を元に戻し、正しい基板２００を確認してから、取り外し操作をやり直す。
【００４９】
このようにして、取り外しが許可された基板２００のみを取り外すことができる。
【００５０】
以上のように、この基板取り外しシステム１によれば、第１のイジェクタ２０２の解除操作が解除操作検出部２１によって検出されると、解除操作が検出された基板２００と、取外許可基板データベース４１ａに記憶されている基板２００とが一致するか否かを判定されるので、人為的ミスを回避することができる。つまり、収容機器１００に収容された複数の基板２００がある場合であっても、取り外しが許可されている基板２００の解除操作であるかを判定することができるので、誤操作による障害などの発生を未然に防止することができる。
【００５１】
また、判定タスク４２によって一致しないと判定された場合に、規制部２２によって基板２００の取り外しを規制するので、一致しない基板(取り外しが許可されていない基板)２００が取り外されることを、簡単な構成で確実に回避することができる。
【００５２】
さらに、判定タスク４２は、識別情報取得部３１で取得された識別情報と、取外許可基板データベース４１ａに記憶されている識別情報とが一致するか否かを判定するので、基板の取り外しが許可されている操作者以外が取り外し操作を行うことを判定することができる。すなわち、例えば、同一の収容機器１００内に取り外しが許可された複数の基板２００があり、各基板２００の取り外しが許可されている操作者が異なっている場合に、操作者が取り外しが許可されていない他の基板２００を誤認して取り外すことによる障害の発生を未然に防止することができる。
【００５３】
（実施の形態２）
この実施の形態では、複数の基板２００を取り外す際に取り外しの優先順位が存在する場合について説明する。ここでは、図２に示す基板２００が、基板２００Ａよりも優先順位が高い場合について説明する。
【００５４】
この場合は、取外許可基板データベース４１ａのその他４１５に、先に取り外し操作が行われる必要がある、すなわち、取り外し操作の優先順位の高い他の基板（以下、「優先基板）という。）の基板識別番号を記憶する。取外許可基板データベース４１ａの、基板２００Ａの基板識別番号に該当するデータのその他４１５には、優先基板の基板識別番号が記憶される。
【００５５】
判定タスク４２は、第１のイジェクタ２０２の解除操作が検出された基板２００と解除操作を行った操作者の組み合わせが、取外許可基板データベース４１ａに記憶されているか否かを判定するとともに、優先基板の取り外し操作が実施されているか否かを判定する。具体的には、取外許可基板データベース４１ａの当該基板２００の基板識別番号に該当するデータのその他４１５に、優先基板の基板識別番号が記憶されている場合は、優先基板の基板識別番号に該当するデータの操作実施日時４１４が入力されているか否かを判定する。操作実施日時４１４が入力されている場合は、優先基板の取り外し操作が実施されているため「取り外し可能」と判定し、優先基板の取り外し操作が実施されてないため「取り外し不可」と判定する。
【００５６】
基板（優先基板）２００を取り外した後に、基板２００Ａを取り外す場合は、取外許可基板データベース４１ａの基板２００Ａの基板識別番号に該当するデータのその他４１５には、基板２００の基板識別番号が記憶され、かつ、基板２００の基板識別番号に該当するデータの操作実施日時４１４には、日時が入力されている。このため、基板２００Ａの第１のイジェクタ２０２が解除操作されると、判定タスク４２によって「取り外し可能」と判定され、基板２００Ａは取り外すことができる。
【００５７】
また、基板２００Ａを先に取り外そうとする場合は、取外許可基板データベース４１ａの基板２００Ａの基板識別番号に該当するデータのその他４１５には、基板２００が記憶され、かつ、基板２００の基板識別番号に該当するデータの操作実施日時４１４には、日時が記憶されていない。このため、基板２００Ａの第１のイジェクタ２０２が解除操作されると、判定タスク４２によって「取り外し不可」と判定され、基板２００が取り外されるまでは、基板２００Ａを取り外すことができないようにすることができる。
【００５８】
このように、複数の基板２００を取り外す際に優先順位が存在する場合であっても、複数の基板２００を正しい順序で取り外すことができるので、人為的ミスを回避することができる。
【００５９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、取外許可基板データベース４１ａは、基板２００の取り外し操作が予定されると入力されるようにして説明したが、基板２００の取り外しの要否を判定して、取り外しが必要と判定された場合に、自動でデータを生成するようにしてもよい。すなわち、例えば、基板２００の通電状態や基板温度などを常時監視し、通電されなくなったり、基板温度が異常に高温になった場合などに、当該基板２００が異常で、点検や交換のための取り外しが必要であると判定し、当該基板２００を取外許可基板データベース４１ａに記憶するようにプログラミングしてもよい。
【００６０】
また、識別情報取得部３１は、操作者が携帯しているＩＣカード型の社員証やＩＣタグの読取装置や、操作者の携帯端末装置から自動または手動で識別情報を取得する取得装置など他の識別情報取得装置で構成してもよい。この場合は、取外許可基板データベース４１ａの操作者識別情報４１２１には、操作者の識別番号、例えば、社員番号などが記憶されている。
【００６１】
また、第１のイジェクタ２０２および第２のイジェクタ２０３のロックを２段階として、１段階目はロックの仮解除とし、２段階目は規制機構によってロック解除が規制され、判定タスク４２で「取り外し可能」と判定された場合にのみ、制御信号にもとづいてロック解除されるようにしてもよい。この場合は、第１のイジェクタ２０２および第２のイジェクタ２０３の解除操作の実施順序には、優劣はなく、どちらを先に解除操作してもよい。さらに、第１のイジェクタ２０２および第２のイジェクタ２０３は、基板２００ではなく、収容機器１００に配設されていてもよい。
【００６２】
また、操作者識別装置３は、識別情報取得部３１で撮影した画像（識別情報を）を基板側装置２へ送信し、基板側装置２は、受信した識別情報を解除情報とともに基板管理サーバ４へ送信するようにしてもよい。
【００６３】
さらにまた、解除情報は、第１のイジェクタ２０２の開示操作にもとづく接点のＯＮ、ＯＦＦではなく、例えば、赤外線やカメラなどで収容機器１００を監視し、解除操作が行われていることを検出するようにしてもよい。
【符号の説明】
【００６４】
１              基板取り外しシステム
２              基板側装置
２１            解除操作検出部（解除操作検出手段）
２２            規制部（規制手段）
３              操作者識別装置
３１            識別情報取得部（識別情報取得手段）
４              基板管理サーバ
４１ａ          取外許可基板データベース（記憶手段）
４２            判定タスク（判定手段）
１００          収容機器
２００          基板
２０２          第１のイジェクタ(イジェクタ)
２０３          第２のイジェクタ(イジェクタ)
ＮＷ            通信網（ネットワーク）
【図１】
2013021174.tif 000003
【図２】
2013021174.tif 000004
【図３】
2013021174.tif 000005
【図４】
2013021174.tif 000006
【図５】
2013021174.tif 000007
【図６】
2013021174.tif 000008
【図７】
2013021174.tif 000009